(57)【要約】【課題】水素水を形成して利用する場合に対応可能であり、当該水素水を、飲用容器内に水素ガスの投入によって形成された高圧力を利用して飲用容器に収納された飲用水を排出チューブから排出するニーズに対応する。【解決手段】スプリングが、押圧力で常時当該可動体に自動作用して、当該可動体をスプリングの押圧力の作用で作用方向に動作させて、回り込み部を排出チューブに接触させ、前記排出チューブを成形突起部に押圧し、もってチューブ挟み付け手段が、排出チューブを可動体と成形突起部との間に挟み込み、排出チューブを不通状態に形成、維持する。スプリングの押圧力方向において蓋外に配設された可動体の押圧部に、飲用容器の利用者による前記押圧力と逆方向の押圧力が作用されると、可動体を、逆方向に動作させ、回り込み部を前記排出チューブから離間させ、もってチューブ挟み付け手段が、挟み込みを解除させ、排出チューブを導通状態に形成、維持する。【選択図】図３
2020128213.tif 000002
【特許請求の範囲】
【請求項１】
容器本体と、当該容器本体の注出口部に備えられ、貫通口部を有する蓋と、からなり、容器内部に水素ガス含有の水液が収納され、当該蓋が、当該貫通口部を貫通して設けられる排出チューブと、当該排出チューブを挟み付けるチューブ挟み付け手段と、を備えた水素ガス含有の水液が収納された水液収納容器に用いられる当該蓋であって、
当該蓋の表側の表面に、当該蓋の成形時に同時に成形された１つ又は複数の成形突起部が設けられ、
前記チューブ挟み付け手段が、可動部と固定部とを有して形成され、
可動部が、排出チューブに対して直角方向に配設される可動体及びスプリングとで構成され、可動体の一部が、排出チューブを回り込む形状の回り込み部に形成され、当該回り込み部で排出チューブに接触可能とされて、当該蓋の表側の表面上を動作可能とされ、
固定部が、前記成形突起部単独で、あるいは前記成形突起部と前記成形突起部に設けた部材とで形成され、
スプリングが、一端を当該可動体に連結され、他端を前記成形突起部に連結され、押圧力で常時当該可動体に自動作用して、当該可動体をスプリングの押圧力の作用で作用方向に動作させて、回り込み部を排出チューブに接触させ、前記排出チューブを前記固定部に押圧し、もって前記チューブ挟み付け手段が、排出チューブを前記可動部と前記固定部との間に挟み込み、当該排出チューブを不通状態に形成して、維持し、
スプリングの押圧力方向において蓋外に配設された当該可動体に形成された押圧部に、飲用容器の利用者による前記押圧力と逆方向の押圧力が作用されると、当該可動体を、逆方向に動作させ、当該回り込み部を前記排出チューブから離間させ、もって前記チューブ挟み付け手段が、前記挟み込みを解除させ、当該排出チューブを導通状態に形成して、維持すること
を特徴とする水素ガス含有の水液が収納された水液収納容器に用いられる蓋。
【請求項２】
請求項１に記載された水素ガス含有の水液が収納された水液収納容器に用いられる蓋において、
前記固定部を形成する突起部が、当該蓋の表側表面の中央部に形成された中央部突起部、あるいは中央部突起部と当該中央部の外部の領域にある個所に形成された非中央部突起部からなり、
前記スプリングの他端を連結する成形突起部が、一方の成形突起部で形成され、
前記チューブ挟み付け手段を連結する成形突起部が、他方の成形突起部で形成され、
排出チューブが、前記可動体と前記一方の成形突起部を有して形成された固定部との間に挟み込んで、当該排出チューブを不通状態に形成して、維持し、前記可動体と前記一方の成形突起部を有して形成された固定部との間に形成された前記挟み込みを解除させ、当該排出チューブを導通状態に形成して、維持すること
を特徴とする水素ガス含有の水液が収納された水液収納容器に用いられる蓋。
【請求項３】
請求項１に記載された水素ガス含有の水液が収納された水液収納容器に用いられる蓋において、
当該蓋の外部表面を閉塞するカバーが設けられて、当該蓋の外部表面との間に空間部が形成され、当該空間部内に、前記成形突起部、前記可動部及び前記固定部が配設され、前記可動体が当該空間部外に設けられた押圧によって動作されることを特徴とする水素ガス含有の水液が収納された水液収納容器に用いられる蓋。
【請求項４】
請求項１〜３のいずれかに記載された水素ガス含有の水液が収納された水液収納容器に用いられる蓋であって、
前記可動体が、線状体で構成され、スプリングが、コイルスプリングで構成され、当該コイルスプリングが当該線状体の周囲に巻回されることを特徴とする水素ガス含有の水液が収納された水液収納容器に用いられる蓋。
【請求項５】
容器本体と、当該容器本体に備えられ、貫通口部を有する蓋と、からな水素ガス含有の水液が収納された水液収納容器であって、
水液収納容器が、容器本体の容器内部に水素ガス含有の水液を収納可能とし、
水液収納容器に用いられる蓋が、
当該貫通口部を貫通して設けられる排出チューブと、当該排出チューブを挟み付けるチューブ挟み付け手段と、を備え、
当該蓋の外部表面に、当該蓋の成形時に成形された成形突起部が設けられ、
前記チューブ挟み付け手段が、可動部と固定部とを有して形成され、
可動部が、排出チューブに対して直角方向に配設される可動体及びスプリングとで構成され、可動体の一部が、排出チューブを回り込む形状の回り込み部に形成され、当該回り込み部で排出チューブに接触可能とされて、当該蓋の外部表面上を動作可能とされ、
固定部が、前記成形突起部単独で、あるいは前記成形突起部と前記成形突起部に設けた部材とで形成され、
スプリングが、一端を当該可動体に連結され、他端を前記成形突起部に連結され、押圧力で常時当該可動体に自動作用して、当該可動体をスプリングの押圧力の作用で作用方向に動作させて、回り込み部を排出チューブに接触させ、前記排出チューブを前記固定部に押圧し、もって前記チューブ挟み付け手段が、排出チューブを前記可動体と前記固定部との間に挟み込み、当該排出チューブを不通状態に形成、維持し、
スプリングの押圧力方向において蓋外に配設された当該可動体の押圧部に、飲用容器の利用者による前記押圧力と逆方向の押圧力が作用されると、当該可動体を、逆方向に動作させ、当該回り込み部を前記排出チューブから離間させ、もって前記チューブ挟み付け手段が、前記挟み込みを解除させ、当該排出チューブを導通状態に形成、維持すること
を特徴とする水素ガス含有の水液が収納された水液収納容器。
【請求項６】
固有の蓋を備え、容器本体の容器内部に水素ガス含有の水液を収納可能とした水液収納容器が準備され、かつ当該固有の蓋に代替される蓋が準備され、
該固有の蓋に代替される蓋に、
貫通口部を備え、当該貫通口部を貫通して設けられる排出チューブと、当該排出チューブを挟み付けるチューブ挟み付け手段と、
当該蓋の外部表面に、当該蓋の成形時に成形された成形突起部と、が備えられ、
前記チューブ挟み付け手段が、可動部と固定部とを有して形成され、
可動部が、排出チューブに対して直角方向に配設される可動体及びスプリングとで構成され、可動体の一部が、排出チューブを回り込む形状の回り込み部に形成され、当該回り込み部で排出チューブに接触可能とされて、当該蓋の外部表面上を動作可能とされ、
固定部が、前記成形突起部単独で、あるいは前記成形突起部と前記成形突起部に設けた部材とで形成され、
スプリングが、一端を当該可動体に連結され、他端を前記成形突起部に連結され、押圧力で常時当該可動体に自動作用して、当該可動体をスプリングの押圧力の作用で作用方向に動作させて、回り込み部を排出チューブに接触させ、前記排出チューブを前記固定部に押圧し、
もって前記チューブ挟み付け手段によって、排出チューブを前記可動部と前記固定部との間に挟み込み、当該排出チューブに不通状態が形成されて、維持され、
スプリングの押圧力方向において蓋外に配設された当該可動体の押圧部に、水液収納容器の利用者による前記押圧力と逆方向の押圧力が作用されると、当該可動体を、逆方向に動作させ、当該回り込み部を前記排出チューブから離間させ、
もって前記チューブ挟み付け手段によって、前記挟み込みを解除させ、当該排出チューブを導通状態に形成されて、維持されるようにした機構が形成され、
当該機構が形成されると、当該蓋が水液収納容器に付着された固有の蓋に代替されて、当該水液収納容器に取り付けられ、
前記チューブ挟み付け手段によって、排出チューブを前記可動部と前記固定部との間に挟み込み、当該排出チューブを不通状態に形成、維持し、
不通状態に形成、維持されると、当該水液収納容器内の圧力が高められ、
前記押圧部に不通状態の利用者による押圧力が随時に作用すると、排出チューブの不通状態を解除し、前記排出チューブから当該水液収納容器内の圧力でもって当該水液収納容器内の水液を排出させること
を特徴とする水液収納容器内の水液の随時利用方法。
【発明の詳細な説明】
【技術分野】
【０００１】
本発明は、水液収納容器、例えば飲用容器に用いられる蓋、当該蓋を持つ水液収納容器及び水液収納容器内の水液の随時利用方法に関する。
【背景技術】
【０００２】
水液収納容器、例えば飲用容器に収納された水液が利用、例えば飲用水が収納され飲用される。この場合に、水液収納容器に備えられた蓋が外される。利用の度に蓋を外すことが面倒であるので、蓋を固着した状態で飲用容器に収納された飲用水の利用を可能とする蓋が提案されてきた。
【０００３】
特許文献１には、容器本体と、当該容器本体の注出口に備えられる閉口キャップと、これを貫通して設けられた排出チューブと、その途中に、常態において当該排出チューブを挟み付けて、不通状態を維持するレバーを備えたピンチ弁と、不通状態を解除し当該排出チューブを開通せしめる開放機構を備えたピンチ弁を備えた飲用容器が記載される。
【先行技術文献】
【特許文献】
【０００４】
【特許文献１】特開２００５−１０４４６９号公報
【発明の概要】
【発明が解決しようとする課題】
【０００５】
特許文献１には、上述したように常態において当該排出チューブを挟み付けて、不通状態を維持するレバーを備えたピンチ弁が設けられ、付勢手段としてレバー自体が備える弾性が用いられ、外力の付勢により変形しても常態に復帰する復元力を備えていることが記載される。この機構は、可動体と固定体とによって構成され、固定体が蓋の上面に固着されるものとなっている。利用者が飲用容器内の飲用水を吸い込んで利用するものであるので、レバー自体に大きな復元力が必要とされず、スプリングによる復元力の付勢を必要としないものとなっていることが記載される。
【０００６】
近年、水素ガスを含有する飲用水が健康によい影響がある理由によって注目され、各種の水素ガスを含有する飲用水が生成されるようになり、各種の水素水生成装置が提案されている。
【０００７】
水素水利用の普及を図るに当たり、排出チューブを不通状態に維持及び導通状態に維持する機構を蓋の表面上に取り付けることが提案されるが、その際に、このニーズに対応するに当たり、機構の高さを極力小さくし、部品点数を減らして原価低減を図ることが求められる。
【０００８】
また、単に水素水の提供に止まらず、飲用容器内の水素水を高圧化し、高圧力を利用して飲用容器に収納された水素水を蓋に設けた排出チューブから排出するニーズが生じた。水素は、容器に収納された場合、少しの空隙があっても容器から逸散し易い性質、特質がある。飲用容器内の水素水を高圧化することにも対応可能な機構が求められる。
【０００９】
従来の機構では、これらのニーズに対応することができない。
【００１０】
このような状況下、本発明は、かかる点に鑑み水素ガス含有の水液を利用するときに対応可能であり、水素ガスの投入によって高圧化された水素ガス含有の水液が形成された場合に対応可能であり、排出チューブを不通状態に維持及び導通状態に維持する機構を蓋の表面上に取り付けるに当たり、機構の高さを極力小さくし、部品点数を減らして原価低減を図ることを可能として、水素水利用の普及を図ることができるようにすることを課題とする。
【００１１】
上述の説明では、飲用容器内の水素水について言及したが、水素ガスは、飲用水に止まらず、ジュース、コーヒー、お茶、その他の嗜好飲み物、更には薬用とされる薬用飲み物、農業・漁業に用いられる農業・漁業用水についても水素ガスを投入した場合にも対応可能とする。
【課題を解決するための手段】
【００１２】
図１は、本発明のコンセプトを説明する図である。図１（１）は、本発明のコンセプトを説明する飲用容器の全体図であり、図１（２）は、成形突起部の詳細を示す図である。
【００１３】
本発明は、容器本体と、当該容器本体の注出口部に備えられ、貫通口部を有する蓋と、からなり、容器内部に水素ガス含有の水液が収納され、当該蓋が、当該貫通口部を貫通して設けられる排出チューブと、当該排出チューブを挟み付けるチューブ挟み付け手段と、を備えた水素ガス含有の水液が収納された水液収納容器に用いられる当該蓋あるいは当該水液収納容器、典型的には飲用容器を、次のように構成することで上述した課題を解決する。
【００１４】
図１において、水液収納容器、例えば飲用容器が準備される。水液収納容器には、飲用容器、飲用水収納のペットボトル、薬用水収納のポット、工業用・農業用・漁業用の液体収納のポット等がある。以下、典型的例としての飲用容器を例にとって説明する。他の例を採用する場合には、その旨記載する。
【００１５】
飲用容器１は、容器本体２と容器本体２に付着される当該蓋（キャップと称される場合がある）３とからなる。
【００１６】
容器本体２は、飲用水としての水素水を収納する上部のボトル部４と水素ガスを発生させる水素発生部５とからなる。容器本体２は、上端部に注出口部６を有し、注出口部６の外面にネジ部７を有する。
【００１７】
蓋３は、内面にネジ部８を有し、ネジ部８はネジ部７に螺合して、蓋３は、注出口部６介して容器本体２に機密に保持される。
【００１８】
水素発生部５は、外面にネジ部１１を有する。ボトル部４は、下端部外面にネジ部１２を有し、ネジ部１１とネジ部１２との螺合によって水素発生部５は、ボトル部４に脱着可能に取り付けられる。水素発生部５の上面部にパキングを収納する溝１３が形成され、パキングが収納され、ボトル部４と水素発生部５との間の水密・気密性が確保される。
【００１９】
水素発生部５は、内部空間部１６を有し、内部空間部内に水素発生剤１５が収納可能とされる。
【００２０】
ボトル部４は、下端部に内部空間部１６を有し、内部空間部１６に連通する水素ガス流通路１７が形成され、水素ガス流通路１７に逆止弁１８が配置される。逆止弁１８の作用によって水素ガスあるいは水素ガス含有の飲用水は逆流しない。
【００２１】
ボトル部４の底面部に、逆止弁１８に対抗して小孔１９が設けられる。
【００２２】
水素発生剤１５に水分が加えられる。水素発生剤１５と水分との反応で水素ガスが発生し、水素ガスは、一定の圧力になると逆止弁１８を通過し、小孔１９からボトル部内部に流出する。流出した水素ガスは、ボトル部内の水液に混合され、水素ガス含有の飲用水、すなわち水素水を形成する。
【００２３】
容器本体２の外面には、ボトル部内部に収納される水素水の水頭高さを示す表示ライン２２が表示され、表示ライン２２まで水素水が形成され、表示ライン２２の上側の内部空間部が水素溜め部２１をなる。
【００２４】
水素溜め部２１は、水素ガスの発生量の増加に伴って常圧から圧力を増し、圧力部となる。
【００２５】
水素溜め部２１を高圧化する装置としては、この例に限定されない。ボトル部４内に水素発生源を設置して水素ガスを発生させるタイプの装置であってもよいし、ボトル部４に水素ガスボンベから水素を投入するタイプの装置であっても水素溜め部内を高圧化することができる。
【００２６】
本発明には、このような水素水生成装置が典型的な水液収納容器として用いられ、水液収納容器に着用される蓋が及び当該蓋を備えた水液収納容器が提案される。
【００２７】
当該蓋３は、次に示される構成を持つ。
【００２８】
蓋３を縦方向に貫通する貫通口部３１が設けられ、貫通口部３１を貫通して排出チューブ３２が設置される。排出チューブ３２は、先端３３がボトル部内の底部まで達し、先端３３が底部付近で開口する。排出チューブ３２は、貫通口部３１を貫通して設けられると、接着剤によって、排出チューブ３２と貫通口部３１との間の間隙は閉塞される。
【００２９】
当該排出チューブ３２を、その上端部で挟み付け、不通状態を形成、維持するチューブ挟み付け手段３４が設けられる。
【００３０】
当該蓋の外部表面に、当該蓋の成形時に同時に成形された成形突起部５３、５４が設けられる。すなわち、蓋の外部表面に成形突起部が形成される。成形突起部は、２つの機能を持つ。その一つは、押圧された排出チューブ３２を受け、蓋３で保持する機能（５４で示される機能）であり、突起部５４によってもたらされる。もう一つは、可動体を形成するために用いられるスプリングの押圧力を受け、蓋３で保持する機能（５３で示される機能）である。このような機能を達成する成形突起部は、単一構造であっても、機能別に分割された分割構造であってもよい。図１には、単一構造の成形突起部が記載されているが、２つの機能を持つので５３，５４との２つの記載がなされている。
【００３１】
蓋３は、チューブ挟み付け手段３４を備え、チューブ挟み付け手段３４が可動体３８、すなわち可動部３５と固定部３６とで形成される。
【００３２】
可動部３５が、排出チューブ３２に対して直角方向に配設される可動体３８及びスプリング３９とで構成され、可動体３８の一部が、排出チューブ３２を回り込む形状の回り込み部４０に形成され、当該回り込み部４０で排出チューブ３２に接触可能とされ、当該蓋３の外側表面に沿って動作動可能とされる。
【００３３】
固定部３６が、成形突起部５３、５４単独で、あるいは成形突起部５３、５４と成形突起部に設けた部材とで形成される。成形突起部に設けた部材を形成した場合、排出チューブ３２は、成形突起部に設けた部材に当接して固定される。このように固定部３６が、成形突起部５３、５４の全部であるいは一部として用いられて形成され、成形突起部に形成されるという特徴を持つ。
【００３４】
スプリング３９が、スプリングの一端に設けた押圧片４１（図３参照）を介して当該可動体３８に連結され、スプリングの他端に設けた連結片４２を介して成形突起部５３、５４に連結され、押圧力で常時当該可動体３８に自動作用して、当該可動体をスプリング３９の押圧力の作用で作用方向に動作させて、回り込み部４０を排出チューブ３２に接触させ、排出チューブ３２を固定部３６に押圧し、もってチューブ挟み付け手段３４が、排出チューブ３２を可動部３５と固定部３６との間に挟み込み、当該排出チューブ３２を不通状態に形成して、維持する。
【００３５】
スプリング３９は、その押圧力で、水素水排出に用いられる排出チューブ３２を不通状態に形成して、維持し、ボトル部内に収納された、水素ガス含有の水素水が、外部に漏れ出ることが防止する。スプリング採用であるので、大きな押圧力を形成することが容易にでき、高圧とされた水素ガス含有の水素水であっても、外部に漏れ出ることが防止することができる。
【００３６】
スプリング３９の押圧力方向において蓋外に配設された当該可動体の押圧部４５に、飲用容器の利用者による前記押圧力と逆方向の押圧力が作用されると、当該可動体３８を、逆方向に動作させ、当該回り込み部４０を排出チューブ３２から離間させ、もってチューブ挟み付け手段３４が、前記挟み込みを解除させ、当該排出チューブ３２を導通状態に形成して、維持する。
【００３７】
これによって、利用者は、逆方向の押圧力の作用の間、排出チューブ３２を介して水素溜め部２１の圧力で自動噴出する水素水を利用することができる。
【００３８】
このように構成された飲用容器１あるいは飲用容器１に用いられる蓋３によれば、当該蓋の表側の表面に、当該蓋の成形時に成形された成形突起部５３、５４が設けられ、当該成形突起部５３、５４が利用されて、チューブ挟み付け手段３４が形成される。排出チューブを不通状態に維持及び導通状態に維持する機構を蓋の表面上に取り付けるに当たり、当該蓋の成形時に成形された成形突起部５３、５４を用いることで、機構の高さを極力小さくし、部品点数を減らして原価低減を図ることが可能になる。
【００３９】
成形突起部５３、５４で記載される成形突起部を用いることで、蓋の一部と可動体３８との間にスプリング３９を簡便に取り付け得て、水素ガスの形成あるいは投入によって、形成された高圧力を利用して飲用容器１に収納された水素水を排出チューブ３２から自動噴出、排出することができて、排出チューブ３２に高い圧力が作用しても、常態において高圧力に対抗して排出チューブ３２を不通状態に維持することができる。
【００４０】
このような構造を有する飲用容器１に用いられる蓋３は、内部が常圧とされた水素水収納の３５０〜５００ｍｌのような小容量の水素水収納のペットボトル１に適用され得る。
【００４１】
図２は、このような構造を有する蓋３が、容器内部を常圧とされた水素水収納のペットボトル１に適用された例を示す図である。
【００４２】
図２に示されるように、固有の蓋３Ａを備え、容器本体の容器内部に水素ガス含有の飲用水を収納可能とした飲用容器１が準備され、かつ当該固有の蓋３Ａに代替される蓋３が準備される。該固有の蓋３Ａに代替される蓋３には、上述した構成を持つ機構が保持される。
【００４３】
当該蓋３が飲用容器１に付着された固有の蓋３Ａに代替されて、水素投入装置を備え、飲用水を収容した飲用容器１の上部のネジ部に取り付けられる。蓋の取り換えがなされる。
【００４４】
このように蓋の取り換えがなされると、前記チューブ挟み付け手段３４によって、排出チューブ３２を可動部３５と固定部３６との間に挟み込み、排出チューブ３２を不通状態に形成して、維持する形態が形成される。
【００４５】
排出チューブを不通状態に形成、維持すると、飲用容器内に水素ガスの投入がなされて、水液収納容器内の圧力が高められる。飲用容器内の飲用水の随時利用の準備が完了する。
【００４６】
当該準備が完了すると、利用者は、チューブ挟み付け手段３４によって、排出チューブ３２の不通状態を解除させ、排出チューブから飲用容器内の飲用水を吸込んで排出させることができる。このようにして、飲用水の随時利用方法が構成される。
【００４７】
図２（１）において、利用者によって内部が常用圧力の水素水収納のペットボトル１及び上述した蓋３が準備される。水素水収納のペットボトル１は、容器本体２と蓋３Ａとからなり、蓋３Ａは、内面にネジ部８を有し、ネジ部８はネジ部７に螺合して、蓋３は、注出口部６介して容器本体２に水密・気密に保持される。
【００４８】
利用者によって取り換え用として準備された蓋３が蓋３Ａに交換され、設置される。この交換、設置のため、蓋３は、内面にネジ部８を有し、ネジ部８はネジ部７に螺合して、蓋３は、注出口部６介して容器本体２に水密・気密に保持される。
【００４９】
当該蓋３は、上述したように貫通口部３１を有して貫通口部３１を貫通して設けられる排出チューブ３２と、当該排出チューブ３２を挟み付けて、不通状態を形成、維持するチューブ挟み付け手段３４と、を備え、チューブ挟み付け手段３４が、可動部３５と固定部３６とで形成される。
【００５０】
スプリング３９が押圧力で常時可動体３８に自動作用して、可動部３５を、スプリング３９の押圧力方向に動作させ、回り込み部４０を排出チューブ３２に接触させ、排出チューブ３２を固定部３６に押圧して、可動部３５と固定部３６との間に挟み込む。
【００５１】
スプリング３９の押圧力によって排出チューブ３２を不通状態に形成、維持し、ボトル部内に収納された水素水が、外部に漏れ出ることが防止される。
【００５２】
一方、利用者が水素水を利用する場合、スプリング３９の押圧力方向において蓋外に配設された可動体３８の押圧部４５に、利用者による押圧力と逆方向の押圧力が作用する。
【００５３】
逆方向の押圧力の作用によって可動体３８を、逆方向に動作させ、回り込み部４０を排出チューブ３２から離間させ、当該挟み込みを解除させ、排出チューブ３２を導通状態に形成して、維持する。
【００５４】
これによって、利用者は、排出チューブ３２を介して水素溜め部２１に収納された水素水を、排出チューブ３２を介して吸引することで利用することができる。
【００５５】
この水素水収納のペットボトル１にあっては、内部が高圧化されていないので、水素水収納のペットボトル１に収納された水素水を排出チューブから自動排出することができないので、利用者は、利用時に、水素水収納のペットボトル１に収納された水素水を排出チューブから適宜に吸引し、吸引時に排出チューブ３２から適宜に空気を導入する。
【発明の効果】
【００５６】
本発明によれば、スプリングが採用され、水素水に代表される水液を利用する場合に対応可能である。スプリングが押圧力で常時当該可動体に自動作用して、可動体を、スプリングの押圧力方向に動作させ、回り込み部を排出チューブに接触させ、前記排出チューブを前記固定部に押圧して、可動体と成形突起部になる固定部との間に挟み込み、水素水の排出に用いられる排出チューブを不通状態に形成、維持する機構を構成することができ、不通状態の形成に大きな押圧力を得て蓋に組み込むことが可能とされた。
【００５７】
これによれば、水素ガス含有の水素水を利用するときに対応可能であり、特に排出チューブ３２水素ガスの投入によって高圧化された水素ガス含有の水液が形成された場合に対応可能であり、排出チューブを不通状態に維持及び導通状態に維持する、チューブ挟み付け手段を持つ機構を蓋の表面上に取り付けるので、機構の高さを極力小さくし、部品点数を減らして原価低減を図ることを可能として、飲用容器を用いた水素水利用の普及を図ることができる。
【００５８】
また、水素ガスの投入によって高圧化された水素ガス含有の水素水が形成された場合に対応する場合に優れ、高圧の水素ガス含有の水液がその圧力が利用されて容器から排出チューブを介して排出されるようにするニーズに対応することができる。
【００５９】
また、上述した機構は、水素水収納のペットボトルにも適用可能とされる。
【図面の簡単な説明】
【００６０】
【図１】本発明のコンセプトを説明する図
【図２】本発明のコンセプトを応用した例の構造を示す図
【図３】本発明の実施例１を示し、不通状態にある蓋の平面図
【図４】本発明の実施例１において、不通状態にあるときの蓋の立面図
【図５】不通状態が開放されたときの蓋の平面図
【図６】不通状態が開放されたときの蓋の立面図
【図７】本発明の実施例２を示し、不通状態にある蓋の平面図
【図８】本発明の実施例２において、不通状態にあるときの蓋の立面図
【図９】不通状態が開放されたときの蓋の平面図
【図１０】不通状態が開放されたときの蓋の立面図
【発明を実施するための形態】
【００６１】
まず、本発明で用いられる用語について説明する。
＜水素水＞  水素ガスを含有する水あるいは水を主要部とした液体。水の典型的な例は飲用水
＜水液＞  水素水を含み、飲用水に止まらず、ジュース、コーヒー、お茶、その他の嗜好飲み物、更には薬用とされる薬用飲み物、農業・漁業に用いられる農業・漁業用水を含む。
＜水液収納容器＞  水液を収納する容器
＜飲用容器＞  水液収納容器の一つの形態で、水素ガスを含有する飲用水を収納する容器
＜飲用水収納のペットボトル＞  飲用容器の一つの形態で、水素ガスを含有する飲用水を収納する、市販されるペットボトル容器
＜排出チューブ＞  樹脂材が用いられて形成された、弾力性のあるチューブで、水素ガスを含有する水液を排出するために使用される。
＜成形突起部、突起部＞  蓋の成形時に蓋の上部表面に突起状に形成された成形突起部。この発明では、成形突起部と突起部とは同義語。２つの機能を持つ。構成的には、中央突起部と非中央突起部とに分けて構成され得る。
＜中央突起部＞  蓋の成形時に蓋の上部表面の中央部付近（中央部を含む）に形成された成形突起部
＜非中央突起部＞  蓋の成形時に蓋の上部表面の中央部付近以外に形成された成形突起部
＜排出チューブ挟み付け手段＞  可動部と固定部とを有して形成され、可動部の機能及び固定部の機能によって排出チューブを挟み込むことができる。また、挟み込みを解除することができる。  
＜コイルスプリング＞  コイル状に巻回されたスプリング
＜自動作用＞  スプリングが備えるバネ力が常に操作力として作用すること
＜可動体＞  可動部の可動部分を構成する部材。スプリングが備えるバネ力及び利用者が付与する押圧力で水平方向に動作する。
＜線状体＞  可動体を構成する構成材であって、線状形態を持つ構成材。典型的には針金材料になる構成材であり、針金材料の場合、線状体は１本の線材で構成され得る。樹脂材で細長に丸状、平ら状に成形された構成材が含まれる。
＜回り込み部＞  線状体の一部が排出チューブ周囲の一部を取り囲むように配設された部分。排出チューブの外形に沿った曲線形状であっても、直線形状であってもよい。
＜矩形の輪状＞  線状体が形成する矩形の輪形状
＜水平方向＞  水液収納容器あるいは飲用容器の起立時の縦方向に対する直角方向。スプリングの押圧力が作用する方向
以下、本発明の実施例を図面に基づいて説明する。
【００６２】
図３−図６は、本発明の実施例１の蓋３の形態１を示す。蓋３が適用される水素水を収納する飲用容器１は、図１に示される。この例では、水液収納容器に典型的事例である飲用容器１と採用して説明する。この場合、水液は、水素水と呼ばれる。
【００６３】
図３は、本発明の実施例１を示し、不通状態にある蓋の平面図である。図３（１）は、水平方向から見た蓋の平面図であり、図３（２）は、水平方向から９０℃回転して見たときの蓋の平面図である。  
図４は、本発明の実施例１において、不通状態にあるときの蓋の立面図である。図４（１）は、水平方向から見た蓋の立面図であり、図４（２）は、水平方向から９０℃回転して見たときの蓋の立面図である。
【００６４】
図３において、蓋３は、円筒状をなす蓋本体３Ａと蓋部３Ｂとからなり、樹脂で形成される。図４には、蓋部３Ｂの上面に蓋部３Ｂに固着されて設けられたカバー５１が記載されている。図３には、カバー５１が取り外された状態が記載される。また、図３、図４には、図１で記載されたネジ部７，８及び螺合形態が割愛されている。
【００６５】
カバー５１は、蓋部３Ｂを閉じるカバー機能を有し、蓋部３Ｂとの間に、蓋部３Ｂと共に空間部５２を形成する。空間部内にチューブ挟み付け手段３４を含む機構が配置される。  空間部内に、排出チューブ３４を不通状態に形成、維持する機構であって、排出チューブ３４を導通状態に形成、維持する機構が配設される。
【００６６】
蓋部３Ｂの上部表面に、当該蓋３の成形時に成形された突起部が設けられる。突起部は、空間部内配置となる。突起部は、２種類、形成され得る。
【００６７】
蓋部３Ｂの上部表面には、中央部の外部領域に中心から外方に向かうクロス形状の６つの非中央部突起部５３が形成してあり、中央部に、突起片５３と同じ高さをなす丸形状の中央部突起部５４が設けられる。突起部は、丸形状の突起部５４のみであってもよいし、双方の成形突起部５３、５４が形成されてもよい。排出チューブ３２を貫通させる貫通口部３１の蓋部３Ｂでの配置位置に対応していずれかの突起部が選択され得る。以下の例では、排出チューブ３２の貫通口部３１が蓋部３Ｂでの配置位置が中央部付近に設けられた例について説明する。
【００６８】
スプリング３９が押圧力で常時可動体３８に自動作用して、可動体３８を、スプリングの押圧力方向に動作させ、回り込み部４０を排出チューブ３２に接触させ、排出チューブ３２を固定部３６に押圧して、可動部３５と固定部３６との間に挟み込むことで、排出チューブ３２を不通状態に形成して、維持する機構が形成される。外力としての押圧力を加えることで、排出チューブ３２を導通状態に形成して、維持する機構が形成される。
【００６９】
貫通口部３１、排出チューブ３２、チューブ挟み付け手段３４、可動部３５、固定部３６、可動体３８、スプリング３９、回り込み部４０、押圧部４５、成形突起部５３、５４については、図１で説明した。本実施例では、可動体３８としての一種である線状体が用いられる例について説明する。
【００７０】
線状体は、線状形態の構成材で、典型的には針金形状の材料が加工されて形成された作用部材である１本の線材で構成される。針金形状の線状体の代わりに細長形状の円形あるいは平板状の樹脂製の線状体が用いられ得る。以後、可動部３５に可動体３８として線状体使用した例を示し、線状体３８として説明する。
【００７１】
可動部３５が、線状体３８及びスプリング３９とで構成され、線状体３８が一体形成の線材でもって、矩形の輪状に形成される。矩形の輪は、２つの水平方向に並置の線材部分、排出チューブ３２を回り込む形状の回り込み部４０及び蓋外部に突出する部分からなる。
【００７２】
図３に記載した成形突起部の場合、蓋部３Ｂの上面部の中央部に丸形状の中央部突起部５４が形成され、６つの直線状の非中央部突起部５３が丸形状の突起片５４まで達しないようにして形成されている。６つの直線状の非中央部突起部５３は、２本以上あれば足りる。ここでは、中央部付以外に配置の突起部を中央部突起部、中央部突起部５４に対するものとして中央部の外部領域にある突起部を非中央部突起部と呼ぶ。このように突起部には、中央部突起部５４及び非中央部突起部５３がある。
【００７３】
この例の場合、６つの非中央部突起部５３から中央部配置の丸形状の中央部突起部５４まで達しない領域部分に貫通口部３１が設けられる。貫通口部３１が中央部付近に形成される。貫通口部３１が中央部配置の丸形状の中央部突起部５４に接することになる。
【００７４】
貫通口内を排出チューブ３２が貫通する。そして、排出チューブ３２は、貫通時に中央部配置の丸形状の中央部突起部５４に接触可能となる。
【００７５】
図１に示される突起部５４が、図３では、中央部配置の丸形状の中央部突起部５４で示される。図１に示される突起部５３が、図３では、中央部以外での配置の直線状の非中央部突起部５４で示される。
【００７６】
回り込み部４０が排出チューブ３２に接触可能とされる。そして、スプリング３９が、一端を線状体３８に押圧片４１によって押圧可能に連結され、他端を連結片４２によって非中央部突起部５３に連結される。他端は、固定片４２によって非中央部突起部５３に連結されれば十分で、固着されることを要さない。緩衝材を介して連結あるいは固定してもよい。これによって、線状体３８がスプリング３９の押圧力で押圧力方向に動作可能とされる。
【００７７】
これらの部材の大部分は、空間部５２内に配設される。線状体３８の一部が貫通口４４を貫通して外部に突出する。突出先端は、押圧部４５となる。押圧部４５は、線状体自体で形成されもよいし、線状体３８に別体の取っ手が取り付けられて形成されてもよい。
【００７８】
線状体３８の押圧部４５の他方側（図で左方側）は、排出チューブ３２を半周で取り囲む回り込み部４０であり、回り込み部４０は、排出チューブ３２に接触して、スプリング３９の押圧力で図において右方に引っ張ることができる。
【００７９】
スプリング３９には、コイル状に巻回されたコイルスプリングが採用される。以下、コイルスプリングが採用された形態について、コイルスプリング３９として説明する。
【００８０】
可動部３５が、線状体３８及びコイルスプリング３９とで構成される。コイルスプリング３９が線状体３８を構成する水平方向配置の線材の周囲に巻回して配設され、線状体３８の大部分と共に蓋内部に形成された空間部内に設置される。
【００８１】
コイルスプリング３９は、回り込み部４０の反対側で、一端に押圧片４１を備え、他端に連結片４２を備え、押圧片４１が非中央部突起部５３に連結され、連結片４２が丸形状の中央部突起部５４に接し、丸形状の中央部突起部５４を介して蓋３に連結される。
【００８２】
コイルスプリング３９が押圧片４１と連結片４２との間で伸び縮みする。コイルスプリング３９が常時の伸び方向にある時に、押圧力で線状体３８を回り込み部４０の反対側方向に引っ張り、排出チューブ３２を丸形状の突起片５４に向けて押圧し、排出チューブ３２は、偏平状になり、閉塞される。
【００８３】
このように、コイルスプリング３９の作用によって、常時、可動部３５の回り込み部４０と固定部３６を形成する丸形状の中央部突起片５４との間の接触押圧で排出チューブ３２の挟み込みをなし、排出チューブ３２の不通状態を形成して、維持する。
【００８４】
スプリングの押圧力方向において蓋外に配設された線状体３８に設けた押圧部４５に、飲用容器の利用者による前記押圧力と逆方向の押圧力が作用されると、線状体３８を、逆方向に動作させ、回り込み部４０を排出チューブ３２から離間させ、もって前記チューブ挟み付け手段３４が、前記挟み込みを解除させ、排出チューブ３２を導通状態に形成して、維持する。
【００８５】
回り込み部４０が排出チューブ３２に接触、離間可能であり、スプリング３９による押圧力及び外力としての押圧力によって回り込み部４０が排出チューブ３２に接触、離間を繰り返す。
【００８６】
本発明の実施例１において、不通状態が開放され、導通状態とされたときの蓋の状態が図５、図６に示される。
【００８７】
図５は、不通状態が開放されたときの蓋の平面図である。図５（１）は、水平方向から見た蓋の平面図であり、図５（２）は、水平方向から９０℃回転して見たときの蓋の平面図である。  
図６は、不通状態にあるときの蓋の立面図である。図６（１）は、水平方向から見た蓋の立面図であり、図６（２）は、水平方向から９０℃回転して見たときの蓋の立面図である。
【００８８】
図５、図６において、蓋外に配設された押圧部４５に飲用容器１の利用者による押圧力が左方向に作用する。押圧力が作用すると押圧力が図５において左方向に働き、コイルスプリング３９の押圧力に打ち勝って、上述された挟み込み状態が解除され、線状体３８の回り込み部４０が排出チューブ３２から離間される。排出チューブ３２は、自己が持つ弾性復元力で元の形状に復帰する。
【００８９】
この状態が形成されると、飲用容器内の水素水は、容器本体内に形成された圧力によって排出チューブ３２から外部に放出され、利用者の便に供される。
【００９０】
このように、当該蓋の外部表面に、当該蓋の成形時に成形された１つ又は複数の突起部が設けられる。
【００９１】
固定部３６が、中央部突起部単独で形成される。中央部突起部自体で形成される。
【００９２】
チューブ挟み付け手段３４が、排出チューブ３２を前記可動部３５と前記固定部３６との間に挟み込み、当該排出チューブ３２を不通状態に形成して、維持する。
【００９３】
外力が付与されることで、チューブ挟み付け手段３４が、前記挟み込みを解除させ、排出チューブ３２を導通状態に形成して、維持する。当該排出チューブ３２を不通状態に形成して、維持し、前記挟み込みを解除させ、排出チューブ３２を導通状態に形成して、維持することのできる機構が形成される。
【００９４】
図７、図８は、本発明の実施例２の蓋３の形態１を示す。蓋３が適用される水素水を収納する飲用容器１は、図１に示される。
【００９５】
図７は、本発明の実施例２を示し、不通状態にある蓋の平面図である。図７（１）は、水平方向から見た蓋の平面図であり、図７（２）は、水平方向から９０℃回転して見たときの蓋の平面図である。  
図８は、本発明の実施例２において、不通状態にあるときの蓋の立面図である。図８（１）は、水平方向から見た蓋の立面図であり、図８（２）は、水平方向から９０℃回転して見たときの蓋の立面図である。
【００９６】
本発明の実施例２の構成部分が本発明の実施例１の構成部分と同一である場合には、構成部分に同一の番号が付してあり、図３、図４に記載された説明が援用される。
【００９７】
図７は、図３に対応する。図８は、図４に対応する。    
図７、図８において、蓋部３Ｂの上面部には、蓋３の成形時に、外方から中心に向かう６つの突起部からなる非中央部突起部５３が形成してあり、中央部に、非中央部突起部５３に比べて高さを低くした丸形状の突起部からなる中央部突起部５４が設けられる。６つの非中央部突起部５３は全て中央部突起部５３に比べて高さが高く、中央部突起部５４まで達する。
【００９８】
貫通口部３１が蓋部３Ｂ上に形成される。貫通口部３１が６つの非中央部突起片５３の内の１つの中央部突起部５４の一部を取り除くようにして設けられる。この例の場合、貫通口部３１は、丸形状の中央部突起部５４から水平方向に間隙をおいて設けられる。
【００９９】
コ状形状をなした排出チューブ受け７１が準備される。排出チューブ受け７１は、線状体で構成され、線状体３８の矩形の輪状内に配設される。コ状とは、縦方向に突起する突起部分とその上下端で一体の水平方向並置の２つの部分からなリ、コ字状に形成された形状をいう。
【０１００】
排出チューブ受け７１は、１本の線材が用いられて、コ状とされたもので、排出チューブ受け７１の一部が非中央部突起部５３の上側に接着剤によって固着される。コ状の突起部分の外面が上述した間隙の分、排出チューブ３２方向に突き出て排出チューブ３２に接触可能とされる。
【０１０１】
コ状の排出チューブ受け７１が固定部３６の一部となる。固定部３６が、非中央部突起片５３と非中央部突起部５３の上側に接着剤によって固着された排出チューブ受け７１とで構成される。実施例１では、固定部３６が丸形状の中央部突起部５４によって形成されたが、実施例２では、固定部３６が非中央部突起部５３と非中央部突起部５３に設けた部材、排出チューブ受け７１とで形成される。この例の場合、中央部突起部５４は、蓋部３Ｂを補強するのみで、固定部３６の形成に用いられない。
【０１０２】
固定部３６は、中央部突起部５４と中央部突起部５４に排出チューブ受け７１を設けることでも形成することができる。
【０１０３】
このように形成された、チューブ挟み付け手段３４であっても、蓋３の上部表面に成形された成形突起部を用いることで、部品点数の少なくすることができ、蓋３の構造を簡便な構成とすることができる。
【０１０４】
このように、コイルスプリング３９の作用によって、常時、線状体３８の回り込み部４０と固定部３６のコ状の排出チューブ受け７１との間の接触押圧で排出チューブ３２の挟み込みをなし、排出チューブ３２の不通状態を形成して、維持する。
【０１０５】
先に実施例と同様に排出チューブ３２の不通状態を解除することができる。
【０１０６】
先に実施例と同様に当該排出チューブ３２を不通状態に形成して、維持し、前記挟み込みを解除させ、排出チューブ３２を導通状態に形成して、維持することのできる機構が形成される。
【０１０７】
不通状態が開放されたときの蓋の状態が図９、図１０に示される。
【０１０８】
図９は、不通状態が開放されたときの蓋の平面図である。図９（１）は、水平方向から見た蓋の平面図であり、図９（２）は、水平方向から９０℃回転して見たときの蓋の平面図である。  
図１０は、不通状態にあるときの蓋の立面図である。図１０（１）は、水平方向から見た蓋の立面図であり、図１０（２）は、水平方向から９０℃回転して見たときの蓋の立面図である。
【０１０９】
図９、図１０において、蓋外に配設された押圧部４５に飲用容器１の利用者による押圧力が左方向に作用する。押圧力が作用すると押圧力が図９において左方向に働き、コイルスプリング３９の押圧力に打ち勝って、上述された挟み込み状態が解除され、線状体３８の回り込み部４０が排出チューブ３２から離間される。排出チューブ３２は、自己が持つ弾性復元力で元の形状に復帰する。
【０１１０】
このように、当該蓋の表側の表面に、当該蓋の成形時に成形された１つ又は複数の突起部が設けられた場合に、チューブ挟み付け手段が、前記挟み込みを解除させ、当該排出チューブを導通状態に形成して、維持することのできる機構が構成される。
【０１１１】
これらの実施例によれば、コイルスプリングが押圧力で常時当該線状体に自動作用して、可動部を、コイルスプリングの押圧力方向に動作させ、回り込み部を排出チューブに接触させ、前記排出チューブを前記固定部に押圧して、可動部と固定部との間に挟み込み、当該排出チューブを不通状態に形成、維持する機構を細い線状形態の線状体を用いて構成することができ、当該機構を極小なものとし、空間部５２への収納を容易にして不通状態の形成に大きな押圧力を得て蓋に狭幅に形成した狭幅空間部内に組み込むことを可能とする。
【０１１２】
これによれば、水素水を形成して利用する場合に対応可能であり、当該水素水を、飲用容器内に水素ガスの投入によって形成された高圧力を利用して飲用容器に収納された水素水を排出チューブから排出するニーズに対応することができて、十分な復元力を形成して、高圧がされた水素ガスに基づく外力に対抗することができ、常態において当該排出チューブを不通状態に維持することができるようにすることができる。
【符号の説明】
【０１１３】
１…水液収納容器、あるいはその１形態としての飲用容器あるいは飲用水収納のボトルポット、２…容器本体、３…蓋（キャップ）、４…ボトル部、５…水素発生部、６…注出口部、３１…貫通口、３２…排出チューブ、３３…排出チューブの先端、３４…チューブ挟み付け手段、３５…可動部、３６…固定部、３８…可動体あるいは線状体、３９…スプリングあるいはコイルスプリング、４０…回り込み部、４１…スプリングの一端に設けられた押圧片、４２…スプリングの他端に設けられた連結片、４５…押圧部、５１…カバー、５２…空間部、５３…成形突起部、具体的には非中央部突起部（具体的には外方から中心に向かって成形された６つの成形突起部）、５４…他の成形突起部、中央部突起部（具体的には中央部に成形された丸形状の成形突起部）、７１…排出チューブ受け。
【図１】
2020128213.tif 000003
【図２】
2020128213.tif 000004
【図３】
2020128213.tif 000005
【図４】
2020128213.tif 000006
【図５】
2020128213.tif 000007
【図６】
2020128213.tif 000008
【図７】
2020128213.tif 000009
【図８】
2020128213.tif 000010
【図９】
2020128213.tif 000011
【図１０】
2020128213.tif 000012
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
容器本体と、当該容器本体の注出口部に備えられ、貫通口部を有する蓋と、からなり、容器内部に水素ガス含有の水液が収納され、当該蓋が、当該貫通口部を貫通して設けられる排出チューブと、当該排出チューブを挟み付けるチューブ挟み付け手段と、を備えた水素ガス含有の水液が収納された水液収納容器に用いられる当該蓋であって、
当該蓋の表側の表面に、当該蓋の成形時に同時に成形された１つ又は複数の成形突起部が設けられ、
前記チューブ挟み付け手段が、可動部と固定部とを有して形成され、
可動部が、排出チューブに対して直角方向に配設される可動体及びスプリングとで構成され、可動体の一部が、排出チューブを回り込む形状の回り込み部に形成され、当該回り込み部で排出チューブに接触可能とされて、当該蓋の表側の表面上を動作可能とされ、
固定部が、前記成形突起部を有して形成され、
スプリングが、一端を当該可動体に連結され、他端を前記成形突起部に連結され、押圧力で常時当該可動体に自動作用して、当該可動体をスプリングの押圧力の作用で作用方向に動作させて、回り込み部を排出チューブに接触させ、前記排出チューブを前記固定部に押圧し、もって前記チューブ挟み付け手段が、排出チューブを前記可動部と前記固定部との間に挟み込み、当該排出チューブを不通状態に形成して、維持し、
スプリングの押圧力方向において蓋外に配設された当該可動体に形成された押圧部に、前記押圧力と逆方向の外力としての押圧力が作用されると、当該可動体を、当該排出チューブの不通状態を解除する逆方向に動作させ、もって前記チューブ挟み付け手段が、前記挟み込みを解除させ、当該排出チューブを導通状態に形成して、維持すること
を特徴とする水素ガス含有の水液が収納された水液収納容器に用いられる蓋。
【請求項２】
請求項１に記載された水素ガス含有の水液が収納された水液収納容器に用いられる蓋において、
前記固定部が、当該蓋の表側表面の中央部に形成された中央部突起部と当該中央部の外部の領域にある個所に形成された非中央部突起部からなり、
前記スプリングの他端が前記非中央部突起部に連結され、
前記チューブ挟み付け手段が排出チューブを、前記可動体と前記中央部突起部との間に挟み込んで不通状態を形成して、維持し、及び当該挟み込みを解除し、導通状態を形成して、維持すること
を特徴とする水素ガス含有の水液が収納された水液収納容器に用いられる蓋。
【請求項３】
請求項１に記載された水素ガス含有の水液が収納された水液収納容器に用いられる蓋において、
当該蓋の外部表面を閉塞するカバーが設けられて、当該蓋の外部表面との間に空間部が形成され、当該空間部内に、前記可動部及び前記固定部が配設され、前記可動体が外力としての押圧力によって動作されることを特徴とする水素ガス含有の水液が収納された水液収納容器に用いられる蓋。
【請求項４】
容器本体と、当該容器本体に備えられ、貫通口部を有する蓋と、からな水素ガス含有の水液が収納された水液収納容器であって、
水液収納容器が、容器本体の容器内部に水素ガス含有の水液を収納可能とし、
水液収納容器に用いられる蓋が、
当該貫通口部を貫通して設けられる排出チューブと、当該排出チューブを挟み付けるチューブ挟み付け手段と、を備え、
当該蓋の外部表面に、当該蓋の成形時に成形された成形突起部が設けられ、
前記チューブ挟み付け手段が、可動部と固定部とを有して形成され、
可動部が、排出チューブに対して直角方向に配設される可動体及びスプリングとで構成され、可動体の一部が、排出チューブを回り込む形状の回り込み部に形成され、当該回り込み部で排出チューブに接触可能とされて、当該蓋の外部表面上を動作可能とされ、
固定部が、前記成形突起部を有して形成され、
スプリングが、一端を当該可動体に連結され、他端を前記成形突起部に連結され、押圧力で常時当該可動体に自動作用して、当該可動体をスプリングの押圧力の作用で作用方向に動作させて、回り込み部を排出チューブに接触させ、前記排出チューブを前記固定部に押圧し、もって前記チューブ挟み付け手段が、排出チューブを前記可動体と前記固定部との間に挟み込み、当該排出チューブを不通状態に形成、維持し、
スプリングの押圧力方向において蓋外に配設された当該可動体の押圧部に、前記押圧力と逆方向の外力としての押圧力が作用されると、当該可動体を、当該排出チューブの不通状態を解除する逆方向に動作させ、もって前記チューブ挟み付け手段が、前記挟み込みを解除し、当該排出チューブを導通状態に形成、維持すること
を特徴とする水素ガス含有の水液が収納された水液収納容器。
【請求項５】
固有の蓋を備え、容器本体の容器内部に水素ガス含有の水液を収納可能とした水液収納容器が準備され、かつ当該固有の蓋に代替される蓋が準備され、
該固有の蓋に代替される蓋に、
貫通口部を備え、当該貫通口部を貫通して設けられる排出チューブと、当該排出チューブを挟み付けるチューブ挟み付け手段と、
当該蓋の外部表面に、当該蓋の成形時に成形された成形突起部と、が備えられ、
前記チューブ挟み付け手段が、可動部と固定部とを有して形成され、
可動部が、排出チューブに対して直角方向に配設される可動体及びスプリングとで構成され、可動体の一部が、排出チューブを回り込む形状の回り込み部に形成され、当該回り込み部で排出チューブに接触可能とされて、当該蓋の外部表面上を動作可能とされ、
固定部が、前記成形突起部を有して形成され、
スプリングが、一端を当該可動体に連結され、他端を前記成形突起部に連結され、押圧力で常時当該可動体に自動作用して、当該可動体をスプリングの押圧力の作用で作用方向に動作させて、回り込み部を排出チューブに接触させ、前記排出チューブを前記固定部に押圧し、
もって前記チューブ挟み付け手段によって、排出チューブを前記可動部と前記固定部との間に挟み込み、当該排出チューブに不通状態が形成されて、維持され、
スプリングの押圧力方向において蓋外に配設された当該可動体の押圧部に、前記押圧力と逆方向の外力としての押圧力が作用されると、当該可動体を、当該可動体を、当該排出チューブの不通状態を解除する逆方向に動作させ、
もって前記チューブ挟み付け手段によって、前記挟み込みを解除させ、当該排出チューブを導通状態に形成されて、維持されるようにした機構が形成され、
当該機構が形成されると、当該蓋が水液収納容器に付着された固有の蓋に代替されて、当該水液収納容器に取り付けられ、
前記チューブ挟み付け手段によって、排出チューブを前記可動部と前記固定部との間に挟み込み、当該排出チューブを不通状態に形成、維持し、
不通状態に形成、維持されると、当該水液収納容器内の圧力が高められ、
前記押圧部に不通状態の利用者による押圧力が随時に作用すると、排出チューブの不通状態を解除し、前記排出チューブから当該水液収納容器内の圧力でもって当該水液収納容器内の水液を排出させること
を特徴とする水液収納容器内の水液の随時利用方法。
【手続補正２】
【補正対象書類名】明細書
【補正対象項目名】００４２
【補正方法】変更
【補正の内容】
【００４２】
図２に示されるように、固有の蓋本体３Ａを備え、容器本体の容器内部に水素ガス含有の飲用水を収納可能とした飲用容器１が準備され、かつ蓋本体３Ａに代替される蓋３が準備される。蓋本体３Ａに代替される蓋３には、上述した構成を持つ機構が保持される。
【手続補正３】
【補正対象書類名】明細書
【補正対象項目名】００４３
【補正方法】変更
【補正の内容】
【００４３】
当該蓋３が飲用容器１に付着された蓋本体３Ａに代替されて、水素投入装置を備え、飲用水を収容した飲用容器１の上部のネジ部に取り付けられる。蓋の取り換えがなされる。
【手続補正４】
【補正対象書類名】明細書
【補正対象項目名】００４７
【補正方法】変更
【補正の内容】
【００４７】
図２（１）において、利用者によって内部が常用圧力の水素水収納のペットボトル１及び上述した蓋３が準備される。水素水収納のペットボトル１は、容器本体２と蓋本体３Ａとからなり、蓋本体３Ａは、内面にネジ部８を有し、ネジ部８はネジ部７に螺合して、蓋３は、注出口部６介して容器本体２に水密・気密に保持される。
【手続補正５】
【補正対象書類名】明細書
【補正対象項目名】００４８
【補正方法】変更
【補正の内容】
【００４８】
利用者によって取り換え用として準備された蓋３が蓋本体３Ａに交換され、設置される。この交換、設置のため、蓋３は、内面にネジ部８を有し、ネジ部８はネジ部７に螺合して、蓋３は、注出口部６介して容器本体２に水密・気密に保持される。
【手続補正６】
【補正対象書類名】明細書
【補正対象項目名】００６３
【補正方法】変更
【補正の内容】
【００６３】
図３は、本発明の実施例１を示し、不通状態にある蓋の平面図である。図３（１）は、水平方向から見た蓋の平面図であり、図３（２）は、水平方向から９０度回転して見たときの蓋の平面図である。  
図４は、本発明の実施例１において、不通状態にあるときの蓋の立面図である。図４（１）は、水平方向から見た蓋の立面図であり、図４（２）は、水平方向から９０度回転して見たときの蓋の立面図である。
【手続補正７】
【補正対象書類名】明細書
【補正対象項目名】００６５
【補正方法】変更
【補正の内容】
【００６５】
カバー５１は、蓋部３Ｂを閉じるカバー機能を有し、蓋部３Ｂとの間に、蓋部３Ｂと共に空間部５２を形成する。空間部内にチューブ挟み付け手段３４を含む機構が配置される。  空間部内に、排出チューブ３２を不通状態に形成、維持する機構であって、排出チューブ３２を導通状態に形成、維持する機構が配設される。
【手続補正８】
【補正対象書類名】明細書
【補正対象項目名】００８１
【補正方法】変更
【補正の内容】
【００８１】
コイルスプリング３９は、回り込み部４０の反対側で、一端に押圧片４１を備え、他端に連結片４２を備え、連結片４２が非中央部突起部５３に連結され、回り込み部４０が丸形状の中央部突起部５４に接し、コイルスプリング３９は、蓋３に形成された空間部内に配設されて蓋３に連結される。
【手続補正９】
【補正対象書類名】明細書
【補正対象項目名】００８７
【補正方法】変更
【補正の内容】
【００８７】
図５は、不通状態が開放されたときの蓋の平面図である。図５（１）は、水平方向から見た蓋の平面図であり、図５（２）は、水平方向から９０度回転して見たときの蓋の平面図である。
図６は、不通状態にあるときの蓋の立面図である。図６（１）は、水平方向から見た蓋の立面図であり、図６（２）は、水平方向から９０度回転して見たときの蓋の立面図である。
【手続補正１０】
【補正対象書類名】明細書
【補正対象項目名】００９５
【補正方法】変更
【補正の内容】
【００９５】
図７は、本発明の実施例２を示し、不通状態にある蓋の平面図である。図７（１）は、水平方向から見た蓋の平面図であり、図７（２）は、水平方向から９０度回転して見たときの蓋の平面図である。
図８は、本発明の実施例２において、不通状態にあるときの蓋の立面図である。図８（１）は、水平方向から見た蓋の立面図であり、図８（２）は、水平方向から９０度回転して見たときの蓋の立面図である。
【手続補正１１】
【補正対象書類名】明細書
【補正対象項目名】０１０８
【補正方法】変更
【補正の内容】
【０１０８】
図９は、不通状態が開放されたときの蓋の平面図である。図９（１）は、水平方向から見た蓋の平面図であり、図９（２）は、水平方向から９０度回転して見たときの蓋の平面図である。
図１０は、不通状態にあるときの蓋の立面図である。図１０（１）は、水平方向から見た蓋の立面図であり、図１０（２）は、水平方向から９０度回転して見たときの蓋の立面図である。